(57)【要約】【課題】複数の記録媒体にまたがって高解像度映像を記録し、同時に低解像度映像も記録する映像記録装置において、高解像度映像と低解像度映像との対応付けを可能とする。【解決手段】低解像度映像に対応する高解像度映像が記録された記録媒体のＩＤを、低解像度映像の映像管理情報に付加して記録することにより、低解像度映像に対応する高解像度映像がどの記録媒体に記録されているかという情報が得られる。【選択図】図１
2005303763.tif 000002
【特許請求の範囲】
【請求項１】
それぞれに記録媒体を挿入可能な複数のスロットと、
入力映像を符号化して高解像度映像とする高解像度映像用符号化手段と、
前記入力映像を前記高解像度映像用符号化手段が符号化するビットレートよりも低いビットレートで符号化して低解像度映像とする低解像度映像用符号化手段と、
前記高解像度映像を１つの前記記録媒体または複数の前記記録媒体に記録し、前記低解像度映像を１つの前記記録媒体に記録し、前記高解像度映像と前記低解像度映像との関連付けを示す映像管理情報を前記低解像度映像が記録されたのと同一の前記記録媒体に記録する記録手段と、
少なくとも前記高解像度映像と前記低解像度映像とに基づいて前記映像管理情報を作成する映像管理情報作成手段とを備えた映像記録装置。
【請求項２】
前記映像管理情報作成手段は、前記低解像度映像のうちの指定された範囲と前記範囲に対応する前記高解像度映像が記録された前記記録媒体のＩＤとの組み合わせを少なくとも１つ前記映像管理情報に含める請求項１記載の映像記録装置。
【請求項３】
前記映像管理情報作成手段は、前記低解像度映像のうちの指定された範囲と前記範囲に対応する前記高解像度映像のＩＤとの組み合わせを少なくとも１つ前記映像管理情報に含める請求項１記載の映像記録装置。
【請求項４】
前記範囲は、前記低解像度映像の先頭からの時間および前記範囲の長さによって示される請求項２および請求項３のいずれかに記載の映像記録装置。
【請求項５】
前記範囲は、前記範囲の開始位置のタイムコードおよび終端位置のタイムコードによって示される請求項２および請求項３のいずれかに記載の映像記録装置。
【請求項６】
それぞれに記録媒体を挿入可能な複数のスロットと、
入力映像を符号化して高解像度映像とする高解像度映像用符号化手段と、
前記入力映像を前記高解像度映像用符号化手段が符号化するビットレートよりも低いビットレートで符号化して低解像度映像とする低解像度映像用符号化手段と、
前記高解像度映像を１つの前記記録媒体または複数の前記記録媒体に記録するとともに前記低解像度映像を１つの前記記録媒体に記録する記録手段と、
少なくとも前記高解像度映像と前記低解像度映像とに基づいて前記映像管理情報を作成する映像管理情報作成手段とを備え、
前記映像管理情報は、前記低解像度映像に対して所定の単位ごとに付加されて記録される映像記録装置。
【請求項７】
それぞれに記録媒体を挿入可能な複数のスロットと、
前記複数のスロットに挿入された複数の記録媒体のうち少なくとも２つにまたがって記録された高解像度映像をデコードして出力する高解像度映像用デコーダと、
高解像度映像と同一の映像であり、前記複数のスロットに挿入された複数の記録媒体のいずれか１つに前記高解像度映像よりも低いビットレートで符号化して記録された低解像度映像をデコードして出力する低解像度映像用デコーダと、
ユーザからの編集操作を受け付ける編集操作入力手段と、
前記編集操作入力手段からの入力に基づいて前記低解像度映像を編集して低解像度映像の映像編集情報を作成し、前記低解像度の映像編集情報および前記高解像度映像と前記低解像度映像との関連付けを示し前記低解像度映像が記録されたのと同一の前記記録媒体に記録された映像管理情報に基づいて対応する前記高解像度映像の映像編集情報を作成する映像編集情報作成手段とを備えた映像編集装置。
【発明の詳細な説明】
【技術分野】
【０００１】
本発明は、複数の記録媒体にまたがって高解像度の映像を記録すると同時に低解像度の映像も記録する映像記録装置および映像編集装置に関する。
【背景技術】
【０００２】
ビデオカメラ等の撮影装置で記録した映像を編集しようとした場合、従来は記録した映像をそのままの解像度で転送、編集することが一般的であったが、情報量が大きいため、転送や編集のためのデジタイズに時間がかかるという問題があった。そこで近年高解像度の映像を記録すると同時に低解像度の映像も記録し、低解像度の映像を転送、編集するということが行われるようになってきた。
【０００３】
以下に従来技術である、高解像度の映像を記録すると同時に低解像度の映像も記録する映像記録装置について説明する。
【０００４】
図１２は従来の映像記録装置のブロック図である。撮影された映像信号は、エンコーダ３０１および３０２でエンコードされて制御部３０３に渡される。制御部３０３はそれらの高解像度、低解像度の映像を書き込み・読み出し回路３０４に渡し、書き込み・読み出し回路３０４は、それを記憶媒体３０５に書き込む。
【０００５】
再生時には、書き込み・読み出し回路３０４は記憶媒体３０５から高解像度、低解像度の映像を読み出して制御部３０３に渡す。制御部３０３は高解像度、低解像度の映像をデコーダ３０６に渡し、デコーダ３０６はそれをデコードして出力する。また、制御部３０３は書き込み・読み出し回路３０４から渡された低解像度の映像をバッファ３０７を介して送信部３０８に渡し、送信部３０８はそれを他の機器に送信する。（例えば、特許文献１参照。）。
【０００６】
また、半導体メモリの大容量化に伴い、半導体メモリが映像の記録に用いられるようになってきた。半導体メモリはテープやディスクと比べて、アクセスが速い、衝撃に強い、記録媒体を駆動させるメカニズムが不要、といった利点がある。しかし放送、業務用で求められる高画質の映像を記録したい場合は現在の容量でも不足である。そこで複数の記録媒体を用いて、複数の記録媒体にまたがって映像を記録することにより、長時間の撮影を可能にするということが行われるようになってきた。
【特許文献１】特開２００１−８６００６２号公報
【発明の開示】
【発明が解決しようとする課題】
【０００７】
しかしながら、従来の映像記録装置で複数の記録媒体にまたがって高解像度の映像を記録し、同時に低解像度の映像も記録する場合、高解像度の映像が複数の記録媒体にまたがって記録されたのと同様に低解像度の映像も分割されて記録されれば、高解像度の映像と低解像度の映像との対応付けができる。
【０００８】
だが、低解像度の映像は情報量が少ないため、１つの記録媒体に記録することが可能であり、利便性からいっても１つの記録媒体に１つの映像として記録したほうが良い。しかし、低解像度の映像を分割せず１つの映像として記録する場合は、高解像度の映像と低解像度の映像との対応付けができなかった。
【０００９】
このような課題に鑑み、本発明では、複数の記録媒体にまたがって高解像度の映像を記録し、同時に低解像度の映像も記録する映像記録装置において、高解像度の映像と低解像度の映像との対応付けを可能にすることを目的とする。
【課題を解決するための手段】
【００１０】
上記課題を解決するために本発明は、低解像度の映像に対応する高解像度の映像が記録された記録媒体のＩＤを、低解像度の映像管理情報に付加して記録することを特徴とする。
【発明の効果】
【００１１】
本発明の映像記録装置は、低解像度の映像に対応する高解像度の映像が記録された記録媒体のＩＤを、低解像度の映像管理情報に付加して記録するため、低解像度の映像に対応する高解像度の映像がどの記録媒体に記録されているかという情報が得られる。
【発明を実施するための最良の形態】
【００１２】
以下、本発明の実施の形態を、図面を参照しながら説明する。
（実施の形態１）
図１に、本発明の実施の形態１における映像記録装置のブロック図を示す。同図において１００は映像記録装置全体、１０１は高解像度映像用符号化手段としての高解像度映像用エンコーダ、１０２は低解像度映像用符号化手段としての低解像度映像用エンコーダ、１０３は制御部、１０４は映像管理情報作成手段、１０５はファイル記録手段、１０６は記録媒体としてのメモリカード、１０７はファイル読み出し手段、１０８は高解像度映像用デコーダ、１０９は低解像度映像用デコーダ、１１０はファイル出力手段を示す。
【００１３】
映像記録装置１００は映像および映像に関する情報である映像管理情報を記録媒体１０６に記録する装置である。図中では記録媒体１０６が４つ同時に接続可能な構成としているが、その数は複数であればいくつでもよい。映像記録装置１００は記録媒体１０６を挿入可能な複数のスロット（図示せず）を備えており、記録媒体１０６をこのスロットに挿入して記録および再生を行う。映像を記録する時には、外部から入力された入力映像信号が高解像度映像用エンコーダ１０１および低解像度映像用エンコーダ１０２に入力され、エンコードされて制御部１０３に渡される。ここで、高解像度映像エンコーダは、ＤＶＣＰＲＯフォーマットやＤＶフォーマット等、比較的ビットレートの高いフォーマットで映像信号をエンコードして高解像度映像とする。一方、低解像度映像エンコーダは、ＭＰＥＧフォーマットのような、高解像度映像エンコーダよりもビットレートの低いフォーマットで映像をエンコードして低解像度映像とする。制御部１０３はファイル記録手段１０５を用いて映像をファイル（以下、映像ファイルと呼ぶ）として記録媒体１０６に記録する。ファイル記録手段１０５は、低解像度映像を低解像度映像ファイルとして、高解像度映像を高解像度映像ファイルとして記録媒体１０６に記録する。また、同時に映像管理情報作成手段１０４を用いて作成した映像管理情報もファイル（以下、映像管理情報ファイルと呼ぶ）として記録媒体１０６に記録する。映像管理情報ファイルには対応する映像についての各種情報が記録されており、低解像度映像ファイルと高解像度映像ファイルとの関連付けの情報も含まれている。
【００１４】
映像を再生する時には、制御部１０３がファイル読み出し手段１０７を用いて記録媒体１０６から映像ファイルを読み出し、その内容が高解像度映像なら高解像度映像用デコーダ１０８へ渡す。高解像度映像用デコーダ１０８はその映像をデコードして出力する。制御部１０３は、読み出した映像ファイルの内容が低解像度映像なら低解像度映像用デコーダ１０９へ渡す。低解像度映像用デコーダ１０９はその映像をデコードして出力する。
【００１５】
記録した映像ファイルや映像管理情報ファイルを映像記録装置１００の外部へ移動または送信する時は、記録媒体１０６を映像記録装置１００から取り外して移動させるか、制御部１０３がファイル読み出し手段１０７を用いて記録媒体１０６からファイルを読み出し、ファイル出力手段１１０へ渡して、ファイル出力手段１１０が外部へ送信する。ファイル出力手段１１０の例としては、ＵＳＢや無線ＬＡＮなどが挙げられる。
【００１６】
以下、複数の記録媒体にまたがって高解像度の映像を記録すると同時に低解像度の映像も記録する場合の具体例を図２を用いて説明する。高解像度の映像は１つの記録媒体に収まらないサイズとなった場合に複数（図２では２つ）の記録媒体にまたがって記録され、それに対応する低解像度の映像は複数の記録媒体のうちのいずれか１つに記録される。低解像度映像ファイルおよび映像管理情報ファイルを記録する記録媒体は、対応する高解像度映像ファイルが記録されている複数の記録媒体のうちのいずれか１つでもよいし、それ以外の記録媒体でもよいが、複数の低解像度映像ファイルが１つの記録媒体にまとめて記録されるようにするのが望ましい。そうすれば、低解像度映像ファイルを別の機器に移動させて使用するときにその１つの記録媒体を取り外して移動させるだけですむ。図２においては、高解像度映像は、記録媒体ＩＤ００００１の記録媒体にクリップ名０００１ＡＢで、記録媒体ＩＤ００００２の記録媒体にクリップ名０００２ＣＤで記録されている。クリップ名とは、ある記録媒体に記録されている映像を特定するための名前である。これら２つの記録媒体１０６に記録された高解像度映像の長さはそれぞれ１００００フレームとする。
【００１７】
低解像度の映像は分割されず１つの映像として１つの記録媒体に記録され、先頭のタイムコードは００：００：００：００である。また、高解像度映像において記録先の記録媒体が変わった部分の低解像度映像におけるタイムコードは００：０５：３３：１０になっている。
【００１８】
図２の例における、記録媒体１０６に記録される低解像度の映像の映像管理情報を記録した映像管理情報ファイルの例を図３に示す。本実施の形態では、映像管理情報はＸＭＬファイルの形式で記録する。
【００１９】
図３−（１）は、映像管理情報ファイルに記録された低解像度映像ファイルと高解像度映像ファイルとの関連付けを示しており、低解像度の映像に対応する（すなわち、同一の入力映像から生成された）高解像度の映像を、高解像度の映像の記録媒体ＩＤ、クリップ名、長さで記述したものである。図のように、ＨｉｇｈＲｅｓｏＬｉｓｔタグの中に低解像度の映像に対応する全ての高解像度の映像を記述する。ＨｉｇｈＲｅｓｏタグの中に低解像度の映像に対応する１つの高解像度の映像を記述する。高解像度の映像の記録媒体ＩＤをＭｅｄｉａＩＤタグに記述し、クリップ名をＣｌｉｐＮａｍｅタグに記述し、長さをＤｕｒａｔｉｏｎタグに記述する。
【００２０】
このように記述することによって、映像管理情報ファイルから以下のことがわかる。すなわち、低解像度の映像に対応する高解像度の映像は２つある。また、低解像度の映像の先頭（１フレーム目）から１００００フレーム目までに対応する高解像度の映像は記録媒体ＩＤ００００１の記録媒体にクリップ名０００１ＡＢで記録されている。また、続きの１００００フレーム、すなわち低解像度の映像の１０００１フレーム目から終端（２００００フレーム目）までに対応する高解像度の映像は記録媒体ＩＤ００００２の記録媒体にクリップ名０００２ＣＤで記録されている。
【００２１】
また、図３−（２）は、低解像度の映像に対応する高解像度の映像を、低解像度の映像のタイムコード、高解像度の記録媒体ＩＤ、クリップ名で記述したものである。低解像度の映像のタイムコードをＳｔａｒｔＴｉｍｅｃｏｄｅタグに記述し、高解像度の映像の記録媒体ＩＤをＭｅｄｉａＩＤタグに記述し、クリップ名をＣｌｉｐＮａｍｅタグに記述する。
【００２２】
このように記述することによって、以下のことがわかる。すなわち、低解像度の映像に対応する高解像度の映像は２つある。また、低解像度の映像のタイムコード００：００：００：００から００：０５：３３：０９（次の高解像度の映像のタイムコードの直前）までに対応する高解像度の映像は記録媒体ＩＤ００００１の記録媒体にクリップ名０００１ＡＢで記録されている。また、低解像度の映像のタイムコード００：０５：３３：１０から終端までに対応する高解像度の映像は記録媒体ＩＤ００００２の記録媒体にクリップ名０００２ＣＤで記録されている。
（実施の形態２）
本発明の実施の形態２における映像記録装置１００の構成は実施の形態１と同様である。
【００２３】
図４に、複数の記録媒体にまたがって高解像度の映像を記録し、同時に低解像度の映像も記録した具体例を示す。実施の形態１と異なる点は、記録媒体に記録されている映像を特定するためにクリップ名ではなくクリップＩＤを用いていることである。実施の形態１の場合、高解像度の映像がＨＤＤなどの別の記録媒体に移動されたら、低解像度の映像と高解像度の映像との関係が取れなくなってしまう。そのため、高解像度の映像に、全ての映像においてユニークであるクリップＩＤを付加する。
【００２４】
図４の例における、記録媒体に記録される低解像度の映像の映像管理情報ファイルの例を図５に示す。
【００２５】
図５−（１）は、低解像度の映像に対応する高解像度の映像を、高解像度の映像の記録媒体ＩＤ、クリップＩＤ、長さで記述したものである。高解像度の映像のクリップＩＤをＣｌｉｐＩＤタグに記述する。クリップ名がクリップＩＤとなった点以外は、実施の形態１と同様である。
【００２６】
また、図５−（２）は、低解像度の映像に対応する高解像度の映像を、低解像度の映像のタイムコード、高解像度の記録媒体ＩＤ、クリップＩＤで記述したものである。クリップ名がクリップＩＤとなった点以外は、第１実施例と同様である。
【００２７】
このように記述することによって、高解像度の映像がＨＤＤなどの別の記録媒体に移動されたとしても、全ての映像においてユニークであるクリップＩＤを用いて別の記録媒体の検索を行うことによって、低解像度の映像に対応する高解像度の映像を発見することができる。
【００２８】
また、実施の形態１と実施の形態２とを組み合わせる、すなわちクリップ名とクリップＩＤを両方用いて高解像度の映像、低解像度の映像を記録しても良い。
（実施の形態３）
本発明の実施の形態３における映像記録装置１００の構成は実施の形態１と同様である。
【００２９】
複数の記録媒体にまたがって高解像度の映像を記録し、同時に低解像度の映像も記録した具体例は図２と同様である。本実施の形態は、映像管理情報を独立した映像管理情報ファイルにではなく、低解像度映像ファイル中に所定の単位毎に記録する点がこれまでの実施の形態と異なる。
【００３０】
本実施の形態における記録媒体１０６に記録される低解像度の映像の映像管理情報を図６に示す。
【００３１】
図６−（１）は、低解像度の映像に対応する高解像度の映像に関する情報を、所定の単位として低解像度の映像１フレームごとにヘッダとして付加したものである。付加される情報は、高解像度の映像の記録媒体ＩＤ、クリップ名、フレーム位置である。
【００３２】
このように記述することによって、低解像度の映像のあるフレームに対応する、高解像度の映像の記録媒体ＩＤとクリップ名、フレーム位置が分かる。
【００３３】
また、低解像度の映像がＭＰＥＧで記録される場合は、図６−（２）のように所定の単位をＧＯＰ単位として、低解像度の映像に対応する高解像度の映像に関する情報を付加する。付加される情報は、図６−（１）と同様である。フレーム位置に関しては、ＧＯＰは複数フレームで構成されるため、図６−（１）とは異なり、フレーム位置の範囲を指定する。なお、この場合には高解像度の映像はＧＯＰ単位で分割されて複数の記録媒体に記録される。
【００３４】
図６−（１）、図６−（２）において、クリップ名の代わりに、実施の形態２で述べたクリップＩＤを用いれば、高解像度の映像がＨＤＤなどの別の記録媒体に移動されたとしても、全ての映像においてユニークであるクリップＩＤを用いて別の記録媒体の検索を行うことによって、低解像度の映像に対応する高解像度の映像を発見することができる。
【００３５】
また、実施の形態３と、実施の形態１、実施の形態２を組み合わせて映像管理情報を記録しても良い。
（実施の形態４）
図７に、本発明の形態４における映像編集装置のブロック図を示す。同図において１５０は映像編集装置全体、１０５はファイル記録手段、１０６は記録媒体としてのメモリカード、１０７はファイル読み出し手段、１０８は高解像度映像用デコーダ、１０９は低解像度映像用デコーダ、１５１は制御部、１５２は編集操作入力手段、１５３は映像編集情報作成手段、１５４は内蔵記録媒体としての内蔵ＨＤＤを示す。なお、内蔵記録媒体１５４は映像編集装置１５０と着脱可能としてもよいし、省略してもよい。
【００３６】
映像編集装置１５０は映像を編集し、その編集結果であるカットリストを映像編集情報として記録媒体１０６または１５４に記録する装置である。図中では記録媒体１０６が４つ同時に接続可能な構成としているが、その数はいくつでもよい。
【００３７】
映像を編集する時には、制御部１５１がファイル読み出し手段１０７を用いて記録媒体１０６または１５４から映像ファイルを読み出し、その内容が高解像度映像なら高解像度映像用デコーダ１０８へ渡す。高解像度映像用デコーダ１０８はその映像をデコードして出力する。制御部１５１は、読み出した映像ファイルの内容が低解像度映像なら低解像度映像用デコーダ１０９へ渡す。低解像度映像用デコーダ１０９はその映像をデコードして出力する。実施の形態１で説明したように、低解像度映像が特定の記録媒体１０６に記録されている場合には、その記録媒体１０６を映像編集装置１５０に挿入して編集作業を行うことができる。以下、低解像度映像を用いて編集作業を行う場合について説明する。
【００３８】
編集を行うユーザは、出力された映像を見て編集操作を行う。それは編集操作入力手段１５２に入力され、制御部１５１に通知される。制御部１５１は映像編集情報作成手段１５３を用いて低解像度映像の映像編集情報を作成し、ファイル記録手段１０５を用いてファイル（以下、編集情報ファイルと呼ぶ）として記録媒体１０６または１５４に記録する。このようにして、映像として低解像度映像のみを使用しても編集情報ファイルを作成することができる。
【００３９】
低解像度映像の編集情報ファイルから高解像度映像の編集情報ファイルを作成する時には、制御部１５１がファイル読み出し手段１０７を用いて、記録媒体１０６または１５４から低解像度映像の編集情報ファイルと、低解像度映像と高解像度映像との関連付けを示す映像情報管理ファイルを読み出す。映像編集情報作成手段１５３は読み出したファイルから高解像度映像の編集情報ファイルを作成し、制御部１５１がファイル記録手段１０５を用いて記録媒体１０６または１５４に記録する。
【００４０】
以下に、低解像度映像を編集し、その結果から高解像度映像の編集結果を得る場合の処理内容について説明する。
【００４１】
図８に、複数の記録媒体にまたがって高解像度映像を記録すると同時に低解像度映像も記録した映像のうち、低解像度映像を参照してカット編集を施した場合の具体例を示す。図中では低解像度映像のカット２０１、２０２、２０３がカットリストとして取り出されている。ここで、カット２０２に対応する高解像度映像は２つの記録媒体にまたがって記録されていることになる。
【００４２】
図８の低解像度映像に対する編集結果を記述した編集情報ファイルの例を図９に示す。編集情報ファイルには、ＣｕｔＬｉｓｔタグの中に全てのカット、すなわちカット２０１、２０２、２０３についての情報を記述する。Ｃｕｔタグの中に１つのカットを記述する。１つのカットを、Ｉｎ点とＯｕｔ点との組み合わせで表現し、Ｉｎ点はＩｎタグで、Ｏｕｔ点はＯｕｔタグで記述する。Ｉｎ点が３０００（フレーム目）、Ｏｕｔ点が６０００のカットはカット２０１に、Ｉｎ点が９０００、Ｏｕｔ点が１２０００のカットはカット２０２に、Ｉｎ点が１６０００、Ｏｕｔ点が１９０００のカットはカット２０３に対応する。
【００４３】
低解像度映像をカット編集し、その結果から高解像度映像の編集結果を得るには、映像編集情報作成手段１５３が、低解像度映像の編集結果を示す編集情報ファイルと、低解像度映像と高解像度映像との関連付けを示す映像情報管理ファイルとを解釈する。具体的な処理を図９および図３−（１）を参照して説明する。
【００４４】
図９の編集情報ファイルからカット２０１のＩｎ点が３０００、Ｏｕｔ点が６０００であることが分かる。そして図３−（１）の映像情報管理ファイルから、１フレーム目から１００００フレーム目までの高解像度映像は、記録媒体ＩＤ００００１の記録媒体に記録されていることがわかる。すなわち、Ｉｎ点が３０００、Ｏｕｔ点が６０００の高解像度映像は、記録媒体ＩＤ００００１の記録媒体に記録されており、クリップ名が０００１ＡＢでＩｎ点が３０００、Ｏｕｔ点が６０００であることが分かる。同様に、カット２０２のＩｎ点が９０００、Ｏｕｔ点が１２０００であるため、それに対応する高解像度映像は、記録媒体ＩＤ００００１の記録媒体に記録されており、クリップ名が０００１ＡＢでＩｎ点が９０００、Ｏｕｔ点が１００００である映像と、記録媒体ＩＤ００００２の記録媒体に記録されており、クリップ名が０００２ＣＤでＩｎ点が１、Ｏｕｔ点が２０００である映像であると分かる。最後にカット２０３のＩｎ点は１６０００、Ｏｕｔ点は１９０００であるため、それに対応する高解像度映像は、記録媒体ＩＤ００００２の記録媒体に記録されており、クリップ名が０００２ＣＤでＩｎ点が６０００、Ｏｕｔ点が９０００であることが分かる。これらの情報から、映像編集情報作成手段１５３が高解像度映像の編集情報ファイルを生成する。
【００４５】
図１０に、編集情報ファイルと映像情報管理ファイルから得られた高解像度映像の編集情報ファイルの例を示す。高解像度映像の編集情報は、図９の編集情報に対して高解像度映像を特定するための記録媒体ＩＤとクリップ名が追加されている。編集された高解像度映像は、図１０の編集情報ファイルから得られる。
【００４６】
なお、実施の形態２のように、クリップＩＤで低解像度の映像情報管理ファイルが記述されている場合でも同様の処理を行うことができる。その場合、高解像度映像がＨＤＤなどの別の記録媒体に移動されたとしても、全ての映像においてユニークであるクリップＩＤを用いて別の記録媒体の検索を行うことによって、高解像度映像を発見して編集された高解像度映像を得ることができる。
【００４７】
また、実施の形態３のように、低解像度映像に対応する高解像度映像に関する情報が、低解像度映像１フレームごとにヘッダとして付加されている場合は、次のような処理を行えばよい。すなわち、図６−（１）のような編集前の低解像度映像ファイルを編集し、図１１に示す編集後の低解像度映像ファイルを作成する。この場合、その過程において編集情報ファイルを作成してもよいし、作成せずに直接図１０の映像ファイルを作成してもよい。図１１の映像ファイルは、図６−（１）の映像ファイルから、図８のカットリストの部分を抜き出したものである。そして、編集された高解像度映像は、図１１の映像ファイルのヘッダをフレーム単位で解釈することによって得られる。
【００４８】
図６−（２）のように、低解像度映像に対応する高解像度映像に関する情報が、低解像度映像１ＧＯＰごとにヘッダとして付加されている場合も、同様に映像ファイルを作成し、編集された高解像度映像を得ることができる。
【００４９】
実施の形態１および実施の形態２の編集処理と実施の形態３の編集処理とを比較すると、前者は映像ファイルを変更することが無いため、編集内容の変更などを高速で行うことができる利点があり、後者は編集後の低解像度映像から編集後の高解像度映像を得るときに映像情報管理ファイルや編集情報ファイルを必要としないため、映像ファイルと映像情報管理ファイルや編集情報ファイルを結びつけて管理する必要が無いという利点がある。
【産業上の利用可能性】
【００５０】
本発明にかかる映像記録装置は、低解像度の映像に対応する高解像度の映像がどの記録媒体に記録されているかという情報が得られるため、複数の記録媒体に記録可能な映像記録装置等に対して有用である。
【図面の簡単な説明】
【００５１】
【図１】本発明の実施の形態１、２、３のブロック図
【図２】本発明の実施の形態１、３の映像記録例を示した図
【図３】本発明の実施の形態１の映像管理情報ファイル例を示した図
【図４】本発明の実施の形態２、３の映像記録例を示した図
【図５】本発明の実施の形態２の映像管理情報ファイル例を示した図
【図６】本発明の実施の形態３の低解像度映像ファイル例を示した図
【図７】本発明の実施の形態４のブロック図
【図８】本発明の実施の形態４の低解像度映像の編集例を示した図
【図９】本発明の実施の形態４の低解像度映像の編集情報ファイル例を示した図
【図１０】本発明の実施の形態４の高解像度映像の編集情報ファイル例を示した図
【図１１】本発明の実施の形態４の編集された低解像度映像のファイル例を示した図
【図１２】従来の映像記録装置のブロック図
【符号の説明】
【００５２】
１００  映像記録装置
１０１  高解像度映像用エンコーダ
１０２  低解像度映像用エンコーダ
１０３  制御部
１０４  映像管理情報作成手段
１０５  ファイル記録手段
１０６  記録媒体
１０７  ファイル読み出し手段
１０８  高解像度映像用デコーダ
１０９  低解像度映像用デコーダ
１１０  ファイル出力手段
１５０  映像編集装置
１５１  制御部
１５２  編集操作入力手段
１５３  映像編集情報作成手段
１５４  記録媒体
２０１  低解像度映像のカット１
２０２  低解像度映像のカット２
２０３  低解像度映像のカット３
３０１  低解像度、低音質エンコーダ
３０２  高解像度、高音質エンコーダ
３０３  制御部
３０４  書き込み・読み出し回路
３０５  記憶媒体
３０６  デコーダ
３０７  バッファ
３０８  送信部
３０９  受信部
【図１】
2005303763.tif 000003
【図２】
2005303763.tif 000004
【図３】
2005303763.tif 000005
【図４】
2005303763.tif 000006
【図５】
2005303763.tif 000007
【図６】
2005303763.tif 000008
【図７】
2005303763.tif 000009
【図８】
2005303763.tif 000010
【図９】
2005303763.tif 000011
【図１０】
2005303763.tif 000012
【図１１】
2005303763.tif 000013
【図１２】
2005303763.tif 000014